Podtech/llm-jp-corpus-v4-ja_patent huggingface dataset:
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
魚の養殖のための設備(10)であって、当該設備(10)は、
‐集水域(20)内に沈められて当該集水域(20)内を浮遊する第１貯水槽(A)を形成する、少なくとも１つ以上の養殖網かご(12)であって、当該養殖網かご(12)が非浸透性の壁(14)で構成された、当該養殖網かご(12)を備えており、
‐前記集水域(20)は、外側第３貯水槽(C)とは分離しており、また、当該外側第３貯水槽(C)に流体連通している、第２貯水槽(B)を形成しており、当該集水域(20)への水の移送及び当該集水域(20)からの水の移送のために、パイプライン(30)が前記集水域(20)と前記第３貯水槽(C)との間を延びており、また、前記養殖網かご(12)から前記前記第３貯水槽(C)への水の放出のために、パイプライン(19a)が前記養殖網かご(12)と前記第３貯水槽(C)との間を延びており、
‐前記第３貯水槽(C)が海又は外洋である場合、前記設備は、前記集水域(20)内の前記水面(50)と前記第３貯水槽(C)内の水面(40)とがほぼ同じレベルとなるように配置されており、また、前記設備は、前記第２貯水槽(B)と前記第３貯水槽(C)との間の水の変化が、完全に又は部分的に前記第３貯水槽(C)の潮汐差によって生じるようにさらに構成されていることを特徴とする、魚の養殖のための設備(10)。
【請求項２】
前記設備(10)は、前記第１貯水槽(A)と前記第３貯水槽(C)との間に、集水域壁(22)と網かご壁(14)とによって、二重のバリアが設定されていることを特徴とする、請求項１に記載の設備(10)。
【請求項３】
前記網かご(12)はまた、前記壁(14)の内側に配置される引き網のような、浸透性の壁(16)を備えていることを特徴とする、請求項１に記載の設備(10)。
【請求項４】
前記養殖網かご(12)は、
‐当該網かご(12)が前記集水域(20)内を浮遊し、また、当該集水域(20)内の前記網かご(12)に対して正しく垂直方向に位置決めされるように設定された浮遊デバイス(17)と、
‐前記第２貯水槽(B)から前記網かご(12)に新鮮な水を供給するための、流入開口部(18a)を備えるパイプライン(18)と、
‐前記網かご(12)の下部にあって、前記第３貯水槽(C)への水の放出のためのパイプライン(19a)を経由して水及び廃物を放出するための放出口(19)と、
を備えていることを特徴とする、請求項１に記載の設備(10)。
【請求項５】
前記網かご(12)からの水の放出のためのパイプライン(19a)は、前記第２貯水槽(B)内の水面の変化に伴う調整に十分な柔軟性を有していることを特徴とする、請求項４に記載の設備(10)。
【請求項６】
前記網かご(12)は、前記集水域(20)の底部に強固又は柔軟性をもって配置されており、当該集水域(20)内の水線に対する、前記網かご(12)の垂直方向の位置決めを調整できるように設定されており、或いは、前記網かご(12)は、前記集水域(20)の天井部分又は壁部分に強固又は柔軟性をもって配置されており、当該集水域(20)内の水線に対する、前記網かご(12)の垂直方向の位置決めを調整できるように設定されていることを特徴とする、請求項１に記載の設備(10)。
【請求項７】
新鮮な水を、海又は外洋である前記貯水槽(C)から前記第２貯水槽(B)に流入させるための前記流入開口部(30b)は、寄生虫のような病原性微生物が前記第２貯水槽(B)に取り込まれないように、水面(50)から一定の距離に配置されており、当該距離は、好ましくは、水面(40)から少なくとも１５メートルであることを特徴とする、請求項４に記載の設備(10)。
【請求項８】
前記第１、前記第２及び前記第３貯水槽の前記水面(40),(50)及び(60)は、同じレベルであることを特徴とする、請求項１〜７のいずれか１項に記載の設備(10)。
【請求項９】
前記第３貯水槽(C)が海であり、また、当該水面の、高低差及び静圧が前記集水域(20)の外側及び内側に水を移動させるために使用されることを特徴とする、請求項１に記載の設備(10)。
【請求項１０】
前記第１貯水槽(A)への水及び前記第２貯水槽(B)からの水を浄化するための浄化フィルタは、海又は外洋である前記第３貯水槽(C)の潮汐によって上下するように配置されていることを特徴とする、請求項１に記載の設備(10)。
【請求項１１】
前記集水域(20)内の壁部分(22a)は、より大きな周縁部を有し、この層において、前記集水域(20)内の水の量が当該集水域(20)の残部よりも大きくなることを特徴とする、請求項１〜１０のいずれか１項に記載の設備(10)。
【請求項１２】
浄化プラント(72)は、更なる貯水槽(D)内を浮遊するように配置されており、また、前記網かご(12)からの水は、前記パイプライン(19a)を通して前記浄化プラント(72)に運ばれることを特徴とする、請求項１〜１１のいずれか１項に記載の設備(10)。
【請求項１３】
前記集水域(20)への水の移送及び当該集水域(20)からの水の移送のためのパイプライン(30)は、岩石層内のトンネルの形態であることを特徴とする、請求項１〜１２のいずれか１項に記載の設備(10)。
【請求項１４】
魚の養殖のための第１貯水槽(A)を設けるための方法であって、前記第１貯水槽(A)を備える、少なくとも１以上の養殖網かご(12)が、集水域(20)内の第２貯水槽(B)内を浮遊しているように配置され、前記養殖網かご(12)が、水を通さない壁(14)で構成され、前記集水域(20)内の前記第２貯水槽(B)が、外側第３貯水槽(C)から分離され、また、前記第３貯水槽(C)から前記集水域(20)への水の供給が、パイプライン(30)を通して行われ、また、前記網かご(12)から前記第３貯水槽(C)への水の放出が、パイプライン(19a)を通して行われ、また、前記第３貯水槽(C)が海又は海洋である場合、前記集水域(20)内の水面(50)が、前記第３貯水槽(C)内の水面(40)と同じレベルとなるように設定された、当該方法であって、また、前記方法は、前記第２貯水槽(B)と前記第３貯水槽(C)との間の水の変化が、完全に又は部分的に前記第３貯水槽(C)の潮汐差によって生じるようにしたことを特徴とする、魚の養殖のための貯水槽(A)を設けるための方法。
【請求項１５】
新鮮な水が前記第２貯水槽(B)から前記第１貯水槽(A)に供給されることを特徴とする、請求項１４に記載された方法。
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
同種幹細胞移植後に再発した血液癌を有する患者を治療するための増大されたＴ細胞を製造する方法であって、
好適なドナーからのＴ細胞を含む試料を提供することと、
前記試料を、常磁性であり自らの表面に（１）ＭＨＣペプチド抗原提示複合体であって、ＭＨＣ結合ナノ粒子の受動的充填によって調製される前記ＭＨＣペプチド抗原提示複合体（シグナル１）と、（２）抗ＣＤ２８共刺激リガンド（シグナル２）とを含むナノ粒子に接触させることと、
前記常磁性ナノ粒子の近くに磁界を配置することと、
前記常磁性粒子に結びついた抗原特異的Ｔ細胞を回収することと、及び
前記回収されたＴ細胞を増大させることと、を含む前記方法。
【請求項２】
前記ナノ粒子が、約１０ｎｍ〜約５００ｎｍの平均直径のサイズを有する、請求項１に記載の方法。
【請求項３】
前記Ｔ細胞がサイトカインの存在下での培養で増大される、請求項１又は２に記載の方法。
【請求項４】
抗原特異的Ｔ細胞が、磁気カラムと、２〜５種の腫瘍関連ペプチド抗原を提示する常磁性ナノａＡＰＣとを用いて、磁気的に豊富化され活性化される、請求項１〜３のいずれかに記載の方法。
【請求項５】
前記血液癌が、急性骨髄性白血病又は骨髄異形成症候群であり、前記ペプチド抗原の一種以上がサバイビン、ＷＴ−１、ＰＲＡＭＥ、ＲＨＡＭＭ、及びＰＲ３から選択される、請求項４に記載の方法。
【請求項６】
前記血液癌が、多発性骨髄腫であり、前記Ｔ細胞がＮＹ−ＥＳＯ−１、ＷＴ−１、及びＳＯＸ２抗原の一種以上で豊富化され、増大される、請求項４に記載の方法。
【請求項７】
前記血液癌がリンパ腫であり、Ｔ細胞あＥＢＶ抗原で豊富化され、増大される、請求項４に記載の方法。
【請求項８】
シグナル１及びシグナル２がナノ粒子の同じナノ粒子集団上にある、請求項４に記載の方法。
【請求項９】
前記磁気的に豊富化された細胞が、培地中で少なくとも５日間増大される、請求項４に記載の方法。
【請求項１０】
前記試料の抗原特異的Ｔ細胞の成分は、該試料中のＴ細胞の少なくとも約５％のＴ細胞〜少なくとも２５％のＴ細胞である、請求項４に記載の方法。
【請求項１１】
前記抗原特異的Ｔ細胞は、前記試料から約１００倍〜約１００００倍に増大される、請求項４に記載の方法。
【請求項１２】
前記患者が急性骨髄性白血病（ＡＭＬ）又は骨髄異形成症候群を有する、請求項１〜１１のいずれかに記載の方法。
【請求項１３】
ＭＨＣがＭＨＣ−Ｉｇである、請求項１〜１２のいずれかに記載の方法。
【請求項１４】
前記Ｔ細胞及び常磁性ナノ粒子が磁界の存在下で少なくとも５分間インキュベートされる、請求項１〜１３のいずれかに記載の方法。
【請求項１５】
前記Ｔ細胞及び前記常磁性ナノ粒子が、磁界の存在下で５分間〜５時間インキュベートされる、請求項１〜１４のいずれかに記載の方法。
【請求項１６】
前記Ｔ細胞及び前記常磁性ナノ粒子が、磁界の存在下で少なくとも３０分間インキュベートされる、請求項１〜１５のいずれかに記載の方法。
【請求項１７】
前記Ｔ細胞が最大３週間培地中で増大される、請求項１〜１６のいずれかに記載の方法。
【請求項１８】
請求項１〜１７のいずれかの方法で製造されたＴ細胞。
【請求項１９】
請求項１〜１７のいずれかの方法で製造されたＴ細胞を含む、同種幹細胞移植後に再発した血液癌を有する患者を治療するための、医薬組成物。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
細長い本体（１０１）と、
細長い本体内を近位から遠位に延びる駆動シャフト（１１３）と、
駆動シャフトに取り付けられたカッターであって、
当該カッターの遠位縁部に形成された鋸歯状の環状カッティングエッジ（２７１０）を含み、該鋸歯状の環状カッティングエッジは、複数の部分を含み、該複数部分のそれぞれは、凸形状を有し、
環状カッティングエッジから当該カッターの中心へ径方向内側に延びる凹状ボウル（２７１４）を含む、カッター（２７００）と、
を備えた粥腫切除用カテーテルデバイス（１００）。
【請求項２】
上記カッター（２７００）は、さらに、凹状ボウル（２７１４）内で遠位縁部から内側に延びる複数の粉砕セグメント（２７１８）を備え、凹状ボウルは第１曲率を有し、複数の粉砕セグメントの各々は、第１曲率とは異なる第２曲率を有し、複数の粉砕セグメントは、動脈における石灰化し硬化した線維症を壊すように構成されている、請求項１に記載の粥腫切除用カテーテルデバイス。
【請求項３】
複数の粉砕セグメント（２７１８）の各々は、鋸歯状の環状カッティングエッジ（２７１０）の凸状部分（２７１２）を形成している、請求項２に記載の粥腫切除用カテーテルデバイス。
【請求項４】
複数の粉砕セグメント（２７１８）の各々は、平らな切り子面である、請求項２に記載の粥腫切除用カテーテルデバイス。
【請求項５】
第２曲率は、第１曲率よりも小さい、請求項２に記載の粥腫切除用カテーテルデバイス。
【請求項６】
鋸歯状の環状カッティングエッジ（２７１０）は、細長い本体の外径に対して径方向内側に角度付けられている、請求項１に記載の粥腫切除用カテーテルデバイス。
【請求項７】
鋸歯状の環状カッティングエッジ（２７１０）は、細長い本体の外径に対して径方向内側に２度から１２度によって延在する、請求項１に記載の粥腫切除用カテーテルデバイス。
【請求項８】
複数の粉砕セグメント（２７１８）は、凹状ボウル（２７１４）の周囲周りに対称的に配置されている、請求項１に記載の粥腫切除用カテーテルデバイス。
【請求項９】
複数の粉砕セグメント（２７１８）は、凹状ボウル（２７１４）の周囲周りに非対称的に配置されている、請求項１に記載の粥腫切除用カテーテルデバイス。
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
ユーザのビデオ画像を捕捉するためのシステムであって、
湾曲スクリーンと、
ユーザの頭部の一部分の周りを包むようになったフレーム、
前記ユーザの左目及び右目に隣接する前記フレームの両端に別々に位置付けられ、前記湾曲スクリーンからそれが該ユーザの顔面の前に位置する時に反射される非可視光を検出する１又は２以上のセンサを各々が含む２又は３以上の画像捕捉モジュール、及び
前記フレームに結合され、かつ前記ユーザの前記顔面の複数の実時間全体像視界をサーバコンピュータに提供するのに使用される前記非可視光の前記検出された反射を捕捉するように配置されたクライアントコンピュータ、
を含むヘッドマウント投影表示装置と、
前記複数の全体像視界に基づいて前記ユーザの前記顔面の実時間３次元ビデオ画像を発生させるのに使用される前記サーバコンピュータであって、該３次元ビデオ画像が、１又は２以上の遠隔に位置付けられたユーザに表示のために提供される前記サーバコンピュータと、
を含むことを特徴とするシステム。
【請求項２】
各画像捕捉モジュールが、前記ユーザの顔面の前に位置付けられた湾曲スクリーンの上に非可視光を向けるように配置された１又は２以上の光スキャナを含むことを特徴とする請求項１に記載のシステム。
【請求項３】
各画像捕捉モジュールが、前記ユーザの顔面の前に位置付けられた湾曲スクリーンの上に可視光を向ける１又は２以上の光スキャナを含むことを特徴とする請求項１に記載のシステム。
【請求項４】
前記湾曲スクリーンから反射された可視光を検出し、前記２又は３以上の画像捕捉モジュールのうちの１又は２以上に含まれる１又は２以上の他のセンサを更に含むことを特徴とする請求項１に記載のシステム。
【請求項５】
前記湾曲スクリーンは、再帰反射性であることを特徴とする請求項１に記載のシステム。
【請求項６】
前記クライアントコンピュータは、
前記ユーザの前記顔面が前記湾曲スクリーンの前の会話集中ゾーン内に位置する時に、該ユーザの該顔面の前記複数の実時間全体像視界を前記サーバコンピュータに提供する段階と、
前記ユーザの前記顔面が前記湾曲スクリーンの前の前記会話集中ゾーンの外側に位置する時に、該ユーザの該顔面の前記複数の実時間全体像視界を前記サーバコンピュータに提供する前記段階を休止する段階と、
を含む更に別のアクションを実行する、
ことを特徴とする請求項１に記載のシステム。
【請求項７】
前記湾曲スクリーンは、凹面、楕円放物面、ドーナツ形、又は三連式のうちの１つである形状を更に含むことを特徴とする請求項１に記載のシステム。
【請求項８】
ユーザのビデオ画像を捕捉するためのヘッドマウント投影表示装置であって、
ユーザの頭部の一部分の周りを包むようになったフレームと、
前記ユーザの左目及び右目に隣接する前記フレームの両端に別々に位置付けられ、湾曲スクリーンからそれが該ユーザの顔面の前に位置する時に反射される非可視光を検出する１又は２以上のセンサを各々が含む２又は３以上の画像捕捉モジュールと、
前記フレームに結合され、かつ前記ユーザの前記顔面の複数の実時間全体像視界をサーバコンピュータに提供するのに使用される前記非可視光の前記検出された反射を捕捉するように配置されたクライアントコンピュータであって、該サーバコンピュータが、該複数の全体像視界に基づいて該ユーザの該顔面の実時間３次元ビデオ画像を発生させるのに使用され、該３次元ビデオ画像が、１又は２以上の遠隔に位置付けられたユーザに表示のために提供される前記クライアントコンピュータと、
を含むことを特徴とする装置。
【請求項９】
各画像捕捉モジュールが、前記ユーザの顔面の前に位置付けられた湾曲スクリーンの上に非可視光を向けるように配置された１又は２以上の光スキャナを含むことを特徴とする請求項８に記載の装置。
【請求項１０】
各画像捕捉モジュールが、前記ユーザの顔面の前に位置付けられた湾曲スクリーンの上に可視光を向ける１又は２以上の光スキャナを含むことを特徴とする請求項８に記載の装置。
【請求項１１】
前記湾曲スクリーンから反射された可視光を検出し、前記２又は３以上の画像捕捉モジュールのうちの１又は２以上に含まれる１又は２以上の他のセンサを更に含むことを特徴とする請求項８に記載の装置。
【請求項１２】
前記湾曲スクリーンは、再帰反射性であることを特徴とする請求項８に記載の装置。
【請求項１３】
前記クライアントコンピュータは、
前記ユーザの前記顔面が前記湾曲スクリーンの前の会話集中ゾーン内に位置する時に、該ユーザの該顔面の前記複数の実時間全体像視界を前記サーバコンピュータに提供する段階と、
前記ユーザの前記顔面が前記湾曲スクリーンの前の前記会話集中ゾーンの外側に位置する時に、該ユーザの該顔面の前記複数の実時間全体像視界を前記サーバコンピュータに提供する前記段階を休止する段階と、
を含む更に別のアクションを実行する、
ことを特徴とする請求項８に記載の装置。
【請求項１４】
前記湾曲スクリーンは、凹面、楕円放物面、ドーナツ形、又は三連式のうちの１つである形状を更に含むことを特徴とする請求項８に記載の装置。
【請求項１５】
ユーザのビデオ画像を捕捉する方法であって、
ユーザの頭部の一部分の周りを包むようになったフレーム、及び
前記ユーザの左目及び右目に隣接する前記フレームの両端に別々に位置付けられ、湾曲スクリーンからそれが該ユーザの顔面の前に位置する時に反射される非可視光を検出する１又は２以上のセンサを各々が含む２又は３以上の画像捕捉モジュール、
を含むヘッドマウント投影表示装置を使用して前記ビデオ画像を捕捉する段階と、
前記フレームに結合され、かつ前記ユーザの前記顔面の複数の実時間全体像視界をサーバコンピュータに提供するのに使用される前記非可視光の前記検出された反射を捕捉するように配置されたクライアントコンピュータを使用する段階と、
前記サーバコンピュータを使用して前記複数の全体像視界に基づいて前記ユーザの前記顔面の実時間３次元ビデオ画像を発生させる段階であって、該３次元ビデオ画像が、１又は２以上の遠隔に位置付けられたユーザに表示のために提供される前記発生させる段階と、
を含むことを特徴とする方法。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
配列番号１と少なくとも９５％同一のヌクレオチド配列を含むポリヌクレオチド配列を含む組換えＡＡＶベクター。
【請求項２】
配列番号２と少なくとも９５％同一であるポリペプチドをコードするポリヌクレオチド配列を含む組換えＡＡＶベクター。
【請求項３】
前記ポリヌクレオチド配列が、配列番号１に記載のヌクレオチド配列を含む、請求項１または２に記載の組換えＡＡＶベクター。
【請求項４】
前記ポリヌクレオチド配列が、配列番号２に記載のアミノ酸配列をコードする、請求項１〜３のいずれか一項に記載の組換えＡＡＶベクター。
【請求項５】
前記ベクターが、血清型ＡＡＶ１、ＡＡＶ２、ＡＡＶ４、ＡＡＶ５、ＡＡＶ６、ＡＡＶ７、ＡＡＶ８、ＡＡＶ９、ＡＡＶ１０、ＡＡＶ１１、ＡＡＶ１２、ＡＡＶ１３、またはＡＡＶ  ｒｈ．７４である、請求項１〜４のいずれか一項に記載の組換えＡＡＶベクター。
【請求項６】
前記ポリヌクレオチド配列が、筋特異的制御要素を含む、請求項１〜５のいずれか一項に記載の組換えＡＡＶベクター。
【請求項７】
前記筋特異的制御要素が、ヒト骨格アクチン遺伝子要素、心臓アクチン遺伝子要素、筋細胞特異的エンハンサー結合因子ｍｅｆ、筋クレアチンキナーゼ（ＭＣＫ）、短縮ＭＣＫ（ｔＭＣＫ）、ミオシン重鎖（ＭＨＣ）、ＭＨＣＫ７、Ｃ５−１２、マウスクレアチンキナーゼエンハンサー要素、骨格速筋トロポニンＣ遺伝子要素、遅筋心臓トロポニンＣ遺伝子要素、遅筋トロポニンＩ遺伝子要素、低酸素誘発性核因子応答要素、ステロイド誘発性要素、またはグルココルチコイド応答要素（ｇｒｅ）である、請求項６に記載の組換えＡＡＶベクター。
【請求項８】
前記筋特異的制御要素が、短縮ＭＣＫ（ｔＭＣＫ）プロモーターである、請求項６に記載の組換えＡＡＶベクター。
【請求項９】
前記短縮ＭＣＫ（ｔＭＣＫ）プロモーターが、配列番号６に記載のヌクレオチド配列を含む、請求項８に記載の組換えＡＡＶベクター。
【請求項１０】
前記筋特異的制御要素が、ＭＨＣＫ７プロモーターである、請求項６に記載の組換えＡＡＶベクター。
【請求項１１】
前記ＭＨＣＫ７プロモーターが、配列番号４に記載のヌクレオチド配列を含む、請求項１０に記載の組換えＡＡＶベクター。
【請求項１２】
配列番号３と少なくとも９５％同一であるヌクレオチド配列を含む、請求項１〜７のいずれか一項に記載の組換えＡＡＶベクター。
【請求項１３】
配列番号３と少なくとも９９％同一であるヌクレオチド配列を含む、請求項１〜７のいずれか一項に記載の組換えＡＡＶベクター。
【請求項１４】
配列番号３に記載のヌクレオチド配列を含む、請求項１〜７のいずれかに記載の組換えＡＡＶベクター。
【請求項１５】
配列番号５に記載のヌクレオチド配列を含む、請求項１〜７のいずれかに記載の組換えＡＡＶベクター。
【請求項１６】
請求項１〜１５のいずれか一項に記載の前記組換えＡＡＶベクターを含む、組成物。
【請求項１７】
治療有効量の請求項１〜１５のいずれか一項に記載の組換えＡＡＶベクターまたは請求項１６に記載の組成物を含む、対象における筋ジストロフィーを治療するための組成物。
【請求項１８】
治療有効量の請求項１〜１５のいずれか一項に記載の組換えＡＡＶベクターまたは請求項１６に記載の組成物を含む、筋ジストロフィーに罹患している哺乳類の対象における筋力及び／または筋量を増加するため、線維症を軽減するためまたは収縮誘発性傷害を軽減するための組成物。
【請求項１９】
治療有効量の請求項１〜１５のいずれか一項に記載の組換えＡＡＶベクターまたは請求項１６に記載の組成物を含む、対象におけるβ−サルコグリカン異常症を治療するための組成物。
【請求項２０】
前記筋ジストロフィーが、肢帯筋ジストロフィーである、請求項１７〜１９のいずれか一項に記載の組成物。
【請求項２１】
前記組換えＡＡＶベクターまたは前記組成物が、筋肉内注射または静脈内注射のために製剤化されている、請求項１７〜２０のいずれか一項に記載の組成物。
【請求項２２】
前記組換えＡＡＶベクターまたは前記組成物が、全身投与のために製剤化されている、請求項１７〜２１のいずれか一項に記載の組成物。
【請求項２３】
前記組換えＡＡＶベクターまたは前記組成物が、注射、注入、または移植による非経口投与のために製剤化されている、請求項２２に記載の組成物。
【請求項２４】
ｍｉＲ２９Ｃを含むポリヌクレオチド配列を含む第２の組換えＡＡＶベクターを投与することをさらに含む、請求項１７〜２３のいずれか一項に記載の組成物。
【請求項２５】
前記第２の組換えベクターが、配列番号９に記載の前記ヌクレオチド配列または配列番号８に記載の前記ヌクレオチド配列を含む、請求項２４に記載の組成物。
【請求項２６】
前記第２の組換えＡＡＶベクターが、筋肉内注射または静脈内注射により投与される、請求項２４または２５に記載の組成物。
【請求項２７】
それを必要とする哺乳類の対象における筋ジストロフィーのため、線維症を軽減するため、筋力及び／または筋量を増加するため、収縮誘発性傷害を軽減するため、および／またはβ−サルコグリカン異常症を治療するための薬剤の調製における、請求項１〜１５のいずれか一項に記載の組換えＡＡＶベクターまたは請求項１６に記載の組成物の使用。
【請求項２８】
前記筋ジストロフィーが、肢帯筋ジストロフィー２Ｅ型（ＬＧＭＤ２Ｅ）である、請求項２７に記載の使用。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
対象における非小細胞肺癌（NSCLC）の診断のための方法であって、次の工程：
(a)該対象由来の生物学的試料から単離された少なくとも１つの微小胞から抽出された核酸中の少なくとも１つのEML4-ALK融合転写産物の発現レベルを検出すること
ここで、前記EML4-ALK融合転写産物が、EML4-ALK v1、EML4-ALK v2、EML4-ALK v3a、EML4-ALK v3b、およびEML4-ALK v3cから成る群より選択される；並びに、
(b)
EML4-ALK v1の検出サイクル閾値（CT値）が31以下である、
EML4-ALK v2の検出CT値が32以下である、
EML4-ALK v3aの検出CT値が32以下である、
EML4-ALK v3bの検出CT値が32以下である、又は
EML4-ALK v3cの検出CT値が32以下である、
であるときNSCLCが存在すると決定すること、
あるいは、
EML4-ALK v1の検出CT値が31を超える、
EML4-ALK v2の検出CT値が32を超える、
EML4-ALK v3aの検出CT値が32を超える、
EML4-ALK v3bの検出CT値が32を超える、又は
EML4-ALK v3cの検出CT値が32を超える、
であるときNSCLCが存在しないと決定すること；を含む方法。
【請求項２】
前記生物学的試料が
(a)体液；あるいは(b)血漿または血清である、請求項１記載の方法。
【請求項３】
前記少なくとも１つのEML4-ALK融合転写産物の発現レベルはqPCRを使って定量される、請求項１記載の方法。
【請求項４】
前記抽出された核酸が、エクソソームRNAを含む、請求項１〜３のいずれか一項記載の方法。
【請求項５】
前記工程(a)が、エクソソームRNAの逆転写を更に含む、請求項４記載の方法。
【請求項６】
逆転写反応にコントロール核酸もしくはコントロール粒子またはそれの組み合わせがスパイクされる、請求項５記載の方法。
【請求項７】
前記工程(a)が、単離されたエクソソームRNAの逆転写後に前増幅工程を更に含む、請求項５または請求項６記載の方法。
【請求項８】
前記前増幅工程が陽性増幅コントロールの使用を含み、
場合により、前記陽性増幅コントロールが、EML4-ALK v1をコードする参照DNA、EML4-ALK v2をコードする参照DNA、EML4-ALK v3をコードする参照DNA、RPL4をコードする参照DNA、Qbetaをコードする参照RNA、またはそれらの組み合わせを含む、請求項７記載の方法。
【請求項９】
前記参照DNAが、qPCRを使って定量される、請求項８記載の方法。
【請求項１０】
前記前増幅工程が、陰性増幅コントロールの使用を含む、請求項７〜９のいずれか一項記載の方法。
【請求項１１】
前記陰性増幅コントロールが、核酸鋳型の代わりに水を含む、請求項１０記載の方法。
【請求項１２】
前記工程(a)が、前記抽出された核酸中の１または複数のコントロールの発現レベルを検出することを更に含む、請求項１〜１１のいずれか一項記載の方法。
【請求項１３】
前記１または複数のコントロールがハウスキーピング遺伝子である、請求項１２記載の方法。
【請求項１４】
前記ハウスキーピング遺伝子がRPL4である、請求項１３記載の方法。
【請求項１５】
前記１または複数のコントロールが、前記抽出された核酸中にスパイクされたQbetaである、請求項１２記載の方法。
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
式（Ｉ）の分子であって、
【化１】
2019513371.tif 000001
式中、
Ａは抗体あるいはその結合フラグメントであり、
Ｂはポリヌクレオチドであり、
Ｘは単結合または非ポリマー性リンカーであり、
ここで、ポリヌクレオチドは、少なくとも１つの２’修飾されたヌクレオチド、少なくとも１つの修飾されたヌクレオチド間結合、あるいは少なくとも１つの逆位脱塩基部分を含み、および、
ここで、ＸはＡのシステイン残基に抱合する、分子。
【請求項２】
少なくとも１つの２’修飾されたヌクレオチドは、２’−Ｏ−メチル、２’−Ｏ−メトキシエチル（２’−Ｏ−ＭＯＥ）、２’−Ｏ−アミノプロピル、２’−デオキシ、Ｔ−デオキシ−２’−フルオロ、２’−Ｏ−アミノプロピル（２’−Ｏ−ＡＰ）、２’−Ｏ−ジメチルアミノエチル（２’−Ｏ−ＤＭＡＯＥ）、２’−Ｏ−ジメチルアミノプロピル（２’−Ｏ−ＤＭＡＰ）、Ｔ−Ｏ−ジメチルアミノエチルオキシエチル（２’−Ｏ−ＤＭＡＥＯＥ）、２’−Ｏ−Ｎ−メチルアセトアミド（２’−Ｏ−ＮＭＡ）修飾されたヌクレオチド、ロックド核酸（ＬＮＡ）あるいはエチレン核酸（ＥＮＡ）を含む、請求項１に記載の分子。
【請求項３】
少なくとも１つの修飾されたヌクレオチド間結合は、ホスホロチオエート結合あるいはホスホロジチオエート結合を含む、請求項１−２のいずれか１つに記載の分子。
【請求項４】
少なくとも１つの逆位脱塩基部分は少なくとも１つの末端にある、請求項１−３のいずれか１つに記載の分子。
【請求項５】
ポリヌクレオチドは一本鎖を含む、請求項１−４のいずれか１つに記載の分子。
【請求項６】
ポリヌクレオチドは、二重らせん構造のポリ核酸分子を形成するために、第１のポリヌクレオチドと、第１のポリヌクレオチドにハイブリダイズされた第２のポリヌクレオチドとを含む、請求項１−４のいずれか１つに記載の分子。
【請求項７】
Ｘはポリヌクレオチドの５’末端へ抱合する、請求項１−６のいずれか１つに記載の分子。
【請求項８】
第１のポリヌクレオチドと第２のポリヌクレオチドはＲＮＡ分子である、請求項６に記載の分子。
【請求項９】
第１のポリヌクレオチドまたは第２のポリヌクレオチドは、ＳＥＱ  ＩＤ  ＮＯ：１６−７５、４５２−１９５５、１９５６−１９６２、１９６７−２００２、２０１３−２０３２、あるいは２０８２−２１０９、または２１１７に対して少なくとも８０％、８５％、９０％、９５％、９６％、９７％、９８％、９９％、あるいは１００％の配列同一性を有する配列を含む、請求項６に記載の分子。
【請求項１０】
Ｘは単結合である、請求項１−９のいずれか１つに記載の分子。
【請求項１１】
ＸはＣ１−Ｃ６アルキル基である、請求項１−９のいずれか１つに記載の分子。
【請求項１２】
Ｘは、Ｃ１−Ｃ６アルキル基に随意に抱合した、ホモ二官能性リンカーあるいはヘテロ二官能性リンカーである、請求項１−１１のいずれか１つに記載の分子。
【請求項１３】
抗体またはその結合フラグメントは、ヒト化抗体またはその結合フラグメント、キメラ抗体またはその結合フラグメント、モノクローナル抗体またはその結合フラグメント、一価Ｆａｂ’、二価Ｆａｂ２、単鎖可変フラグメント（ｓｃＦｖ）、ダイアボディ、ミニボディ、ナノボディ、単一ドメイン抗体（ｓｄＡｂ）、あるいはラクダ科抗体またはその結合フラグメントを含む、請求項１−１２のいずれか１つに記載の分子。
【請求項１４】
Ａ−ＸはＢの５’末端へ抱合する、請求項１−１３のいずれか１つに記載の分子。
【請求項１５】
Ａ−ＸはＢの３’末端へ抱合する、請求項１−１３のいずれか１つに記載の分子。
【請求項１６】
ＡまたはBへ抱合するＤをさらに含む、請求項１−１５のいずれか１つに記載の分子。
【請求項１７】
Ｄはエンドソーム溶解性ポリマー、ＩＮＦ７またはメリチンである、請求項１６に記載の分子。
【請求項１８】
第２の結合部分、あるいはＡまたはＢへ抱合する追加のポリヌクレオチドＢをさらに含む、請求項１−１７のいずれか１つに記載の分子。
【請求項１９】
患者の疾患または障害の処置のための薬剤の製造における請求項１−１８のいずれか１つに記載の分子の使用。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
アルブミンまたはアルブミンの機能的フラグメントに融合している抗イディオタイプ抗体。
【請求項２】
請求項１に記載の抗イディオタイプ抗体において、前記抗イディオタイプ抗体は、アミノ酸配列
2019513346.tif 000001
を含む可変重ドメイン、および
アミノ酸配列
2019513346.tif 000002
を含む可変軽鎖ドメインを有する抗ＣＤ３８抗体に特異的であることを特徴とする抗イディオタイプ抗体。
【請求項３】
請求項１または２に記載の抗イディオタイプ抗体において、前記抗イディオタイプ抗体は、
アミノ酸配列ＹＳＦＳＮＹＷＩＳ（配列番号１８）のＨＣＤＲ１、
アミノ酸配列ＷＭＧＩＩＤＰＡＳＳＫＴＲＹＳＰＳＦＱＧ（配列番号１９）のＨＣＤＲ２、
アミノ酸配列ＳＲＧＡＧＭＤＹ（配列番号２０）のＨＣＤＲ３
を含む可変重鎖、および
アミノ酸配列ＴＧＳＳＳＮＩＧＡＧＹＤＶＨ（配列番号２１）のＬＣＤＲ１、
アミノ酸配列ＬＬＩＹＡＤＮＮＲＰＳ（配列番号２２）のＬＣＤＲ２、
アミノ酸配列ＧＳＹＤＥＳＳＮＳＭ（配列番号２３）のＬＣＤＲ３
を含む可変軽鎖を含むことを特徴とする抗イディオタイプ抗体。
【請求項４】
請求項１乃至３の何れか１項に記載の抗イディオタイプ抗体において、前記抗イディオタイプ抗体は、アミノ酸配列
2019513346.tif 000003
の可変重鎖、および
アミノ酸配列
2019513346.tif 000004
の可変軽鎖を含むことを特徴とする抗イディオタイプ抗体。
【請求項５】
請求項１乃至４の何れか１項に記載の抗イディオタイプ抗体アルブミン融合体において、前記重鎖は、アミノ酸配列
2019513346.tif 000005
を含むことを特徴とする抗イディオタイプ抗体アルブミン融合体。
【請求項６】
請求項１乃至５の何れか１項に記載の抗イディオタイプ抗体アルブミン融合体において、前記軽鎖は、アミノ酸配列
2019513346.tif 000006
を含むことを特徴とする抗イディオタイプ抗体アルブミン融合体。
【請求項７】
請求項１乃至６の何れか１項に記載の抗イディオタイプ抗体アルブミン融合体において、血液サンプルを評価するのに用いられることを特徴とする抗イディオタイプ抗体アルブミン融合体。
【請求項８】
請求項１乃至７の何れか１項に記載の抗イディオタイプ抗体をコードする核酸。
【請求項９】
多発性骨髄腫または他の免疫グロブリン血症の治療を受けている患者から得られた血液サンプルの評価における請求項１乃至７の何れか１項に記載の抗イディオタイプ抗体の使用において、
ａ）前記患者から血液サンプルを得るステップと、
ｂ）前記血液サンプルを、前記抗イディオタイプ抗体と共にインキュベートするステップと、
ｃ）免疫固定電気泳動（ＩＦＥ）を実行するステップと、
ｄ）前記ＩＦＥの結果を報告するステップと
を含むことを特徴とする使用。
【請求項１０】
請求項９に記載の使用において、前記患者は、アミノ酸配列
2019513346.tif 000007
を含む可変重ドメイン、および
アミノ酸配列
2019513346.tif 000008
を含む可変軽鎖ドメインを有する抗ＣＤ３８抗体による治療を受けていることを特徴とする使用。
【請求項１１】
請求項９に記載の使用において、前記サンプルは、総Ｍタンパク質レベルについて評価されることを特徴とする使用。
【請求項１２】
抗イディオタイプ抗体において、アミノ酸配列
2019513346.tif 000009
を含む可変重ドメイン、および
アミノ酸配列
2019513346.tif 000010
を含む可変軽鎖ドメインを有する抗ＣＤ３８抗体に特異的であることを特徴とする抗イディオタイプ抗体。
【請求項１３】
多発性骨髄腫または他の免疫グロブリン血症の治療を受けている患者から得られた血液サンプルの評価における抗イディオタイプ抗体の使用において、
ａ）前記患者から血液サンプルを得るステップと、
ｂ）前記血液サンプルを、抗イディオタイプ抗体と共にインキュベートするステップと、
ｃ）免疫固定電気泳動（ＩＦＥ）を実行するステップと、
ｄ）前記ＩＦＥの結果を報告するステップと
を含み、
前記患者は、アミノ酸配列
2019513346.tif 000011
を含む可変重ドメイン、および
アミノ酸配列
2019513346.tif 000012
を含む可変軽鎖ドメインを有する抗ＣＤ３８抗体による治療を受けていることを特徴とする使用。
【請求項１４】
請求項１２に記載の抗体または請求項１３に記載の使用において、前記抗イディオタイプ抗体は、
アミノ酸配列ＹＳＦＳＮＹＷＩＳ（配列番号１８）のＨＣＤＲ１、
アミノ酸配列ＷＭＧＩＩＤＰＡＳＳＫＴＲＹＳＰＳＦＱＧ（配列番号１９）のＨＣＤＲ２、
アミノ酸配列ＳＲＧＡＧＭＤＹ（配列番号２０）のＨＣＤＲ３
を含む可変重鎖、および
アミノ酸配列ＴＧＳＳＳＮＩＧＡＧＹＤＶＨ（配列番号２１）のＬＣＤＲ１、
アミノ酸配列ＬＬＩＹＡＤＮＮＲＰＳ（配列番号２２）のＬＣＤＲ２、
アミノ酸配列ＧＳＹＤＥＳＳＮＳＭ（配列番号２３）のＬＣＤＲ３
を含む可変軽鎖を含むことを特徴とする抗体または使用。
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
組み換えキメラＰ−セレクチン糖タンパク質リガンド−１（ＰＳＧＬ−１）タンパク質であって、
少なくとも：配列番号１１（成熟ＰＳＧＬ−１配列）の少なくともａａ５〜１６を含むセレクチン結合ドメイン、配列番号１２（神経網膜特異的なロイシンジッパー）のａａ１８７〜２０８と少なくとも９０％相同または同一のアミノ酸配列を含むロイシンジッパードメイン、および、ジスルフィド結合促進領域を含む、
組み換えキメラＰＳＧＬ−１タンパク質。
【請求項２】
請求項１に記載の組み換えキメラＰＳＧＬ−１タンパク質であって、
前記セレクチン結合ドメインは、配列番号１１（ＰＳＧＬ−１配列）の少なくともａａ１〜４７を含む、
組み換えキメラＰＳＧＬ−１タンパク質。
【請求項３】
請求項１に記載の組み換えキメラＰＳＧＬ−１タンパク質であって、
前記ロイシンジッパーは、配列番号１２のａａ１８１〜２１５と少なくとも９０％相同または同一のアミノ酸配列を含む、
組み換えキメラＰＳＧＬ−１タンパク質。
【請求項４】
請求項１から３のいずれか一項に記載の組み換えキメラＰＳＧＬ−１タンパク質であって、
前記ジスルフィド結合促進領域は、以下の一般式：
（Ｘ１）ｎ−Ｃ（Ｘ２）ｍ−（Ｘ３）
によって定義されるアミノ酸配列を含み、
ここで：
−Ｘ１、Ｘ２は、システイン（Ｃｙｓ）を除く任意のアミノ酸またはアミノ酸配列を表わし、
−Ｃは、Ｃｙｓであり、
−Ｘ３は、任意のアミノ酸であり、および
−ｎ、ｍは、１〜６からなる整数である、
組み換えキメラＰＳＧＬ−１タンパク質。
【請求項５】
請求項４に記載の組み換えキメラＰＳＧＬ−１タンパク質であって、
−Ｘ１は、好ましくは、プロリン、ヒスチジンまたはトレオニンを含み；
−ｎは、最大で５であり、および
−Ｘ２は、少なくとも１つのプロリンを含む、
組み換えキメラＰＳＧＬ−１タンパク質。
【請求項６】
請求項５に記載の組み換えキメラＰＳＧＬ−１タンパク質であって、
−Ｘ２は、Ｐｒｏ−Ｐｒｏであり；
−Ｘ３は、システインおよび少なくともプロリンを含む、
組み換えキメラＰＳＧＬ−１タンパク質。
【請求項７】
請求項６に記載の組み換えキメラＰＳＧＬ−１タンパク質であって、
前記ジスルフィド結合促進領域は、ＩｇＧ１ヒンジ領域（配列番号２０）である、
組み換えキメラＰＳＧＬ−１タンパク質。
【請求項８】
請求項１から７のいずれか一項に記載の組み換えキメラＰＳＧＬ−１タンパク質であって、
少なくともリジン（ＬｙｓまたはＫ）またはシステイン（ＣｙｓまたはＣ）を含むポリグリシンスペーサーをさらに含む、
組み換えキメラＰＳＧＬ−１タンパク質。
【請求項９】
請求項８に記載の組み換えキメラＰＳＧＬ−１タンパク質であって、
前記スペーサーは、配列番号１７である、
組み換えキメラＰＳＧＬ−１タンパク質。
【請求項１０】
少なくともジスルフィド結合によって互いに共有結合された請求項１から９のいずれか一項に記載の２つの組み換えキメラＰＳＧＬ−１タンパク質を含む、
二量体タンパク質。
【請求項１１】
請求項１０に記載の二量体タンパク質であって、
ホモ二量体である、
二量体タンパク質。
【請求項１２】
請求項１から９のいずれか一項に記載の組み換えキメラＰＳＧＬ−１タンパク質であって、
分泌するのに、および、分泌前に切断されるのに、適切なシグナルペプチド配列をさらに含む、
組み換えキメラＰＳＧＬ−１タンパク質。
【請求項１３】
請求項１４に記載の組み換えキメラＰＳＧＬ−１タンパク質であって、
前記シグナルペプチドは、配列番号１８および配列番号２１〜３４からなる群より選択される、
組み換えキメラＰＳＧＬ−１タンパク質。
【請求項１４】
請求項１２から１３のいずれか一項に記載の組み換えキメラＰＳＧＬ−１タンパク質であって、
前記シグナルペプチドは、マウスＩｇＨシグナルペプチド（配列番号１８）である、
組み換えキメラＰＳＧＬ−１タンパク質。
【請求項１５】
請求項１から９および１２から１４のいずれか一項に記載の組み換えキメラタンパク質をコードするＤＮＡ配列であって、
配列番号１１（成熟ＰＳＧＬ−１配列）の少なくともａａ５〜１６を含むセレクチン結合ドメイン、配列番号１２（神経網膜特異的なロイシンジッパー）のａａ１８７〜２０８と少なくとも９０％相同または同一のアミノ酸配列を含むロイシンジッパードメイン、および、ジスルフィド結合促進領域を含む、
ＤＮＡ配列。
【請求項１６】
請求項１５に記載のＤＮＡ配列を含む、
真核生物発現ベクター。
【請求項１７】
請求項１５に記載のベクターまたはＤＮＡで形質転換された、
哺乳類細胞。
【請求項１８】
請求項１から１４のいずれか一項に記載の、
単離されたタンパク質。
【請求項１９】
請求項１８に記載の単離されたタンパク質であって、
配列番号１１の少なくとも１６位のＴｈｒがＯ−結合型グリコシル化されて、少なくとも５位、７位および１０位のＴｙｒが硫酸化された、ホモ二量体である、
単離されたタンパク質。
【請求項２０】
請求項１から１４または１８から１９のいずれか一項に記載の組み換えタンパク質、および、診断的または治療的部分を含む、
コンジュゲート化合物。
【請求項２１】
請求項２０に記載のコンジュゲートであって、
前記の診断的に有用な部分は、放射ラベル、酵素、蛍光ラベル、発光ラベル、金属キレート化合物、ガス充填脂質微小胞、および、前記の診断的に活性の部分の組み合わせからなる群より選択される、
コンジュゲート。
【請求項２２】
請求項２１に記載のコンジュゲートであって、
前記のガス充填微小胞の脂質は、リン脂質である、
コンジュゲート。
【請求項２３】
請求項２０から２２のいずれか一項に記載のコンジュゲートであって、
超音波、磁気共鳴、光音響、シンチグラフィー、単一光子放出型コンピュータ断層撮影（ＳＰＥＣＴ）、陽電子放射断層撮影（ＰＥＴ）、Ｘ線、無線周波聴覚および視覚からなる群において選択されるイメージング方法での使用のための、
コンジュゲート。
【請求項２４】
請求項１から１４のいずれか一項に記載の組み換えキメラタンパク質または請求項２０から２３のいずれか一項に記載のコンジュゲートを含む、
医薬組成物。
【請求項２５】
請求項１から１４のいずれか一項に記載の組み換えタンパク質を調製する方法であって、
前記キメラタンパク質を安定して発現する組み換え系を達成するために、請求項１５のＤＮＡ配列または請求項１６のベクターによって真核生物細胞を形質転換するステップ、前記培養培地を採取するステップ、および、前記培養培地から前記組み換えタンパク質を精製するステップを含む、
方法。
【請求項２６】
セレクチンの過剰発現によって特徴付けられる病理学的状態の診断イメージングのための方法であって、
請求項２０から２２のいずれか一項に記載のコンジュゲートまたは請求項２４に記載の医薬組成物を対象に事前投与するステップ、および、超音波、磁気共鳴、光音響、シンチグラフィー、単一光子放出型コンピュータ断層撮影（ＳＰＥＣＴ）、陽電子放射断層撮影（ＰＥＴ）、Ｘ線、無線周波聴覚および視覚からなる群において選択されるイメージング方法により画像を記録するステップを含む、
方法。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
個体の便秘症の処置で使用するための食品であって、
前記食品が、
１つ以上の食品成分、および、
１つ以上の下剤を含み、
ここで、個体による食品の摂取によって、個体の腸管運動を引き起こし、それ故、個体の便秘症を軽減し、
前記食品が、常温保存可能な包装された固体食品を含む、食品。
【請求項２】
１つ以上の下剤が、リン酸二ナトリウム、クエン酸マグネシウム、水酸化マグネシウム（マグネシア乳）、硫酸マグネシウム（エプソム塩）、リン酸一ナトリウム、二リン酸ナトリウム、ラクツロース、ポリエチレングリコール（ＰＥＧ）、ビタミンＣ、スルホコハク酸ジオクチル（ドクセート）、ビサコジル（Ｄｕｌｃｏｌａｘ）、ヒマシ油、およびソルビトールのいずれかを含む、請求項１に記載の食品。
【請求項３】
ＰＥＧが、１７グラム以下の量のＰＥＧ３３５０を含む、請求項２に記載の食品。
【請求項４】
１つ以上の食品成分が、１つ以上の下剤と一緒に混合される、請求項１に記載の食品。
【請求項５】
１つ以上の下剤が、食品のコーティングを含む、請求項１に記載の食品。
【請求項６】
個体の腸管運動が、１つ以上の下剤の摂取の１２時間以内に引き起こされる、請求項１に記載の食品。
【請求項７】
個体の腸管運動が、２４時間以内に引き起こされる、請求項１に記載の食品。
【請求項８】
食品が、インスタントの食品バーを含む、請求項１に記載の食品。
【請求項９】
食品が、フレーバリングを有する又はフレーバリングのない、および液体と混合されるように構成された、食用粉末を含む、請求項１に記載の食品。
【請求項１０】
個体が薬剤を使用し、その副作用が便秘症である、請求項１に記載の食品。
【請求項１１】
薬剤がオピオイドを含む、請求項１０に記載の食品。
【請求項１２】
オピオイドが、モルヒネ、コデイン、オキシコドン、およびジラウジッドの１つ以上を含む、請求項１１に記載の食品。
【請求項１３】
薬剤が抗うつ薬を含む、請求項１０に記載の食品。
【請求項１４】
抗うつ薬が、アミトリプチリンおよびイミプラミンの１つ以上を含む、請求項１３に記載の食品。
【請求項１５】
薬剤が抗痙攣薬を含む、請求項１０に記載の食品。
【請求項１６】
抗痙攣薬が、フェニトインおよびカルバマゼピンの１つ以上を含む、請求項１５に記載の食品。
【請求項１７】
薬剤が鉄サプリメントを含む、請求項１０に記載の食品。
【請求項１８】
薬剤がカルシウムチャネル遮断薬を含む、請求項１０に記載の食品。
【請求項１９】
カルシウムチャネル遮断薬が、１つ以上のジルチアゼムおよびニフェジピンを含む、請求項１８に記載の食品。
【請求項２０】
便秘症が、２４時間以上の持続時間の間続いた、請求項１に記載の食品。
【請求項２１】
食品が食事を含む、請求項１に記載の食品。
【請求項２２】
１つ以上の下剤が、食品の総重量の５０重量％以上である、請求項１に記載の食品。
【請求項２３】
１つ以上の下剤；および
１つ以上の食品成分、を含む組成物であって、
ここで下剤が、１つ以上の食品成分と組み合わされ、１つ以上の食品成分は、組成物が個体によって摂取されるときに、１つ以上の下剤が個体の結腸内に放出される程度まで１つ以上の食品成分が消化されるような、量またはタイプのいずれかである、組成物。
【請求項２４】
１つ以上の下剤が、ポリエチレングリコール（ＰＥＧ）３３５０を含む、請求項２３に記載の組成物。
【請求項２５】
ＰＥＧ３３５０が、１７グラム以下の量を含む、請求項２３に記載の組成物。
【請求項２６】
１つ以上の食品成分が、１つ以上の下剤と一緒に混合される、請求項２３に記載の組成物。
【請求項２７】
１つ以上の食品成分が、組成物のコーティングを含む、請求項２３に記載の組成物。
【請求項２８】
個体の腸管運動が、組成物の摂取の１２時間以内に引き起こされる、請求項２３に記載の組成物。
【請求項２９】
インスタントの食品バーを含む、請求項２３に記載の組成物。
【請求項３０】
レディ・トゥ・ドリンクのシェイクを含む、請求項２３に記載の組成物。
【請求項３１】
液体と混合されるように構成された食用粉末を含む、請求項２３に記載の組成物。
【請求項３２】
食事を含む、請求項２３に記載の組成物。
【請求項３３】
１つ以上の下剤が、組成物の総重量の５０重量％以上である、請求項２３に記載の組成物。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
ある量の修飾された羊水を含む組成物であって、前記羊水が、滅菌及び脱塩される、組成物。
【請求項２】
前記修飾された羊水が、塩の全てまたは実質的に塩の全てを除去するために脱塩されている、請求項１に記載の組成物。
【請求項３】
前記修飾された羊水が、サイズが１μｍを超える物質、サイズが０．５μｍを超える物質、または細胞及び／若しくは細胞残屑を含まないかまたは実質的に含まない、請求項１に記載の組成物。
【請求項４】
前記修飾された羊水がヒト羊水である、請求項１に記載の組成物。
【請求項５】
前記修飾された羊水が濃縮されている、請求項１に記載の組成物。
【請求項６】
前記修飾された羊水が凍結乾燥される、請求項１に記載の組成物。
【請求項７】
薬学的に許容される担体を更に含む、請求項１に記載の組成物。
【請求項８】
前記組成物が注射可能であるか、噴霧可能であるか、局所用組成物であるか、または液体、ゲル、もしくはペーストである、請求項１に記載の組成物。
【請求項９】
請求項１に記載の組成物の液滴を乾燥させたものを含む、固体ペレット。
【請求項１０】
型の中で乾燥させたある量の請求項１に記載の組成物を含む、成形された組成物。
【請求項１１】
ある量の請求項１〜１０のいずれか一項に記載の組成物と、胎盤組織移植片と、を含む、組成物。
【請求項１２】
ある量の請求項１〜１０のいずれか一項に記載の組成物と、ある量の微粉化胎盤組織粒子と、を含む、組成物。
【請求項１３】
システムであって、
ａ．ある量の、請求項１〜８及び１０〜１１のいずれか一項に記載の組成物を含む、第１の組成物と、
ｂ．ある量の薬学的に許容される担体を含む、第２の組成物と、
ｃ．前記第１の組成物が中に配置された第１のチャンバ、前記第２の組成物が中に配置された第２のチャンバ、ならびに前記第１の組成物及び前記第２の組成物を放出するように構成される１つ以上のアパーチャを含む、投与デバイスと、を含む、システム。
【請求項１４】
キットであって、
ａ．請求項１〜８及び１０〜１１のいずれか一項に記載の組成物または請求項９に記載の固体ペレットと、
ｂ．前記組成物または固体ペレットを使用して、胃腸疾患もしくは障害、皮膚疾患もしくは障害、美容処置を受けた患者、または肺疾患もしくは障害を治療するため；脊椎上もしくは脊椎近傍の瘢痕形成を防止もしくは低減するか、または硬膜裂傷を封止するため；前方経路処置または修正された前方経路処置を治療または防止するため；創傷治癒促進、または手術創の結果としての瘢痕形成の防止のため；あるいは外科処置後の生殖器系における瘢痕組織の量を減少させるための使用説明書と、を含む、キット。
【請求項１５】
胃腸疾患もしくは障害、皮膚疾患もしくは障害、美容処置を受けた患者、または肺疾患もしくは障害の治療；脊椎上もしくは脊椎近傍の瘢痕形成の防止もしくは低減、または硬膜裂傷の封止；前方経路処置または修正された前方経路処置の治療または防止；創傷治癒促進、または手術創の結果としての瘢痕形成の防止；あるいは外科処置後の生殖器系における瘢痕組織の量の減少において使用するための、請求項１〜８及び１０〜１１のいずれか一項に記載の組成物または請求項９に記載の固体ペレット。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
１−(４−フルオロ−フェニル)−４−((６ｂＲ,１０ａＳ)−３−メチル−２,３,６ｂ,９,１０,１０ａ−ヘキサヒドロ−１Ｈ,７Ｈ−ピリド[３’,４’：４,５]ピロロ[１,２,３−ｄｅ]キノキサリン−８−イル)−ブタン−１−オン(ＩＴＩ−００７)および第二化合物の共結晶であって、ここで、第二化合物がイソニコチンアミドおよびニコチンアミドから選択される、共結晶。
【請求項２】
図１に実質的に対応するＸ線回折パターンを有するＩＴＩ−００７遊離塩基とイソニコチンアミドの共結晶である、請求項１に記載の共結晶。
【請求項３】
図２の上部パターンに実質的に対応するＸ線回折パターンを有するＩＴＩ−００７遊離塩基とニコチンアミドの共結晶である、請求項１に記載の共結晶。
【請求項４】
上記共結晶１.１〜１.２０の何れかから選択される、請求項１〜３の何れかに記載の共結晶。
【請求項５】
請求項１、２、３または４に記載の共結晶を製造する方法であって、
(ａ)１−(４−フルオロ−フェニル)−４−((６ｂＲ,１０ａＳ)−３−メチル−２,３,６ｂ,９,１０,１０ａ−ヘキサヒドロ−１Ｈ,７Ｈ−ピリド[３’,４’：４,５]ピロロ[１,２,３−ｄｅ]キノキサリン−８−イル)−ブタン−１−オン(ＩＴＩ−００７)遊離塩基とイソニコチンアミドおよびニコチンアミドから選択される第二化合物を有機溶媒中で合わせ、そして
(ｂ)溶媒を除去し、こうして形成された共結晶を回収する
ことを含む、方法。
【請求項６】
遊離または塩形態の１−(４−フルオロ−フェニル)−４−((６ｂＲ,１０ａＳ)−３−メチル−２,３,６ｂ,９,１０,１０ａ−ヘキサヒドロ−１Ｈ,７Ｈ−ピリド[３’,４’：４,５]ピロロ[１,２,３−ｄｅ]キノキサリン−８−イル)−ブタン−１−オン(ＩＴＩ−００７)を精製する方法であって、粗製ＩＴＩ−００７とイソニコチンアミドおよびニコチンアミドから選択される第二化合物を有機溶媒中で合わせ、溶媒を除去し、こうして形成された共結晶を回収し、所望により共結晶をＩＴＩ−００７遊離塩基に戻すかまたは所望の塩形態に変換することを含む、方法。
【請求項７】
請求項１〜４の何れかに記載の共結晶を、薬学的に許容される希釈剤または担体と組み合わせてまたは混合して含む、医薬組成物。
【請求項８】
５−ＨＴ２Ａ受容体、セロトニントランスポーター(ＳＥＲＴ)および／またはドーパミンＤ１／Ｄ２受容体シグナル伝達経路が関与するまたは介在する疾患または異常状態の予防または処置に使用するための、請求項７に記載の医薬組成物。
【請求項９】
持続放出用注射可能デポーの形態である、請求項７または８に記載の医薬組成物。